(57)【要約】      （修正有）【課題】電線の端部に高い保持力で保持することができる上に広い寸法範囲の被識別物に適合することができる識別マーカーを得ることができ、且つ、鮮明にマーキングすることができるマーキング用長尺チューブを提供する。【解決手段】マーキング用長尺チューブ１０は、所定間隔毎にマーキングを施すのに用いられるゴムやプラスチック等の弾性材料から形成された長尺チューブ本体１２から成っている。長尺チューブ本体１２は、全長に亘って等しい肉厚Ｔを有し、且つ、長手方向に延びる内側に突である弧状の内側突条１４と同じく長手方向に延びる外側に突である孤状の外側突条１６とを周方向に交互に有し、前記内外の孤状の突条１４、１６は、同じ又はほぼ同じ曲率半径１４Ｒ、１６Ｒを有する。【選択図】図１
2019067487.tif 000002
【特許請求の範囲】
【請求項１】
所定間隔毎にマーキングを施すのに用いられるゴム、プラスチック等の弾性材料から形成された長尺チューブ本体から成っているマーキング用長尺チューブにおいて、前記長尺チューブ本体は、全長に亘って等しい肉厚を有し、且つ長手方向に延びる内側に突である弧状の内側突条と同じく長手方向に延びる外側に突である孤状の外側突条とを周方向に交互に有することを特徴とするマーキング用長尺チューブ。
【請求項２】
請求項1に記載のマーキング用チューブであって、前記内外の孤状の突条は、同じ又はほぼ同じ曲率半径を有するマーキング用長尺チューブ。
【請求項３】
請求項１又は２に記載のマーキング用長尺チューブであって、前記長尺チューブ本体は、各３つ以上の孤状の内外の突条を有するマーキング用長尺チューブ。
【請求項４】
請求項１乃至3のいずれかに記載のマーキング用長尺チューブであって、前記長尺チューブ本体は、各５つ以下の孤状の内外の突条を有するマーキング用長尺チューブ。
【発明の詳細な説明】
【技術分野】
【０００１】
本発明は、例えば、電線等の如き被識別物を識別するために種々の文字、記号等をマーキング（印字）して電線等に被着されるマーキング用長尺チューブの改良に関し、更に詳細に述べると、所定間隔毎にマーキングが施されたチューブ部分を後続のチューブ部分から切り離して電線等に被着して電線等を識別するのに用いられる長尺のマーキング用チューブの改良に関するものである。
【背景技術】
【０００２】
電線識別等に用いられるマーキング用長尺チューブは、その外周面にマーキングを施した後、このマーキングが施された部分を後続のチューブ部分から切り離し、このようにマーキングが施されて切り離された短尺のチューブ（識別マーカー）を電線等の端部に嵌着して電線等を他の電線等と識別するのに用いられている（特許文献１の図１９、図２０参照）。
【０００３】
更に詳細に述べると、この種のマーキング用長尺チューブは、特許文献1に示すように、弾力性プラスチックチューブ本体から成っており、この長尺チューブに所定間隔毎に識別用の文字、記号等の識別表示が施された後、識別表示が施された部分を後続のチューブ部分から切り離して短尺のチューブ状識別マーカーを形成し、このチューブ状識別マーカーは、電線端子を取り付ける前に電線の端部等に被せられる（特許文献１の段落（００５８）乃至（００６０）参照）。
【０００４】
識別マーカーが電線の端部で緩むことがなく、確実にグリップされるようにするために、長尺チューブは、内面に襞状の凹凸を有する弾性材料のチューブから成っているか、予め扁平に成形されていて電線等の円形被識別物に広げながら被着するようにした扁平チューブから成っているか、チューブを被せた後加熱収縮して被着するように形成された熱収縮性チューブから成っている
【０００５】
しかし、チューブの内面に凹凸を付与すると、チューブの厚みが不均一となるため、長尺チューブにマーキングを施す際に、接触式機械的印字機を用いてマーキングする際に、活字が均等に当たるようにチューブを扁平に潰すことが難しくなり、またこの状態で印字すると、印字圧力が不均一となるため、マーキングに印字むらを生じる欠点があった。また、扁平チューブは、被識別物に嵌着後、被識別物の外周からの出っ張りが大きくなるため、他の物体に引っ掛かって識別マーカーが被識別物上をずれたり、被識別物から外れたりする欠点があり、更に熱収縮チューブは、被着後加熱工程が必要であり、作業性が低い欠点があった。
【０００６】
本出願人は、上記の欠点を解消するため、長尺チューブ本体の肉厚を全長に亘ってほぼ等しくし、また長手方向に対して非直線的に被識別物に係合して保持されるように、断面矩形、楕円形又はそれらに類似した断面形状のチューブ本体を螺旋状にねじった状態で形成された係合保持部分を含んでいて内面に凹凸を設けることなく、電線等の被識別物に確実にグリップすることができるマーキング用長尺チューブを提案している（特願２０１６-２４１９０６号参照）。
【０００７】
この提案による長尺チューブは、全長に亘って肉厚が等しいので、マーキング時にチューブを扁平に押し潰すことができるため、マーキングむらを生ずることがなく、また例えば、矩形状の断面を有するチューブ本体を螺旋状にねじって形成されるので、電線等に確実に保持することができる。
【０００８】
しかし、この提案による長尺チューブは、断面矩形又は楕円状のチューブ本体を螺旋状にねじって形成されるので、製造時に、異形押し出しの如き複雑なダイスを必要とし、成形が困難である欠点があった。
【先行技術文献】
【特許文献】
【０００９】
【特許文献１】特開２００１−３９４０４号公報
【特許文献２】特願２０１６−２４１９０６号
【発明の概要】
【発明が解決しようとする課題】
【００１０】
本発明が解決しようとする課題は、内面に凹凸を設けることなく、電線等の被識別物に確実にグリップすることができ、電線等の被識別物の寸法の適合範囲を広げることができ、マーキングむらを生ずることなくマーキングすることができ、また成形が容易であるマーキング用長尺チューブを提供することにある。
【課題を解決するための手段】
【００１１】
本発明の課題解決手段は、所定間隔毎にマーキングを施すのに用いられるゴム、プラスチック等の弾性材料から形成された長尺チューブ本体から成っているマーキング用長尺チューブにおいて、前記長尺チューブ本体は、全長に亘って等しい肉厚を有し、且つ長手方向に延びる内側に突である弧状の内側突条と同じく長手方向に延びる外側に突である孤状の外側突条とを周方向に交互に有することを特徴とするマーキング用長尺チューブを提供することにある。
【００１２】
本発明の他の課題解決手段においては、前記内外の孤状の突条は、同じ又はほぼ同じ曲率半径を有するのが好ましい。
【００１３】
本発明の更に他の課題解決手段においては、前記長尺チューブ本体は、各３つ以上の孤状の内外の突条を有することができる。
【００１４】
本発明の更に他の課題解決手段においては、前記長尺チューブ本体は、各５つ以下の孤状の内外の突条を有することができる。
【発明の効果】
【００１５】
本発明のマーキング用長尺チューブは、全長に亘って等しい肉厚を有するので、マーキング時に、長尺チューブを押し潰すと、凹凸のない扁平状態となり、むらのないマーキングを施すことができ、また、この長尺チュ-ブ本体は、長手方向に延びる内側に突である弧状の内側突条と同じく長手方向に延びる外側に突である孤状の外側突条とを周方向に交互に有するので、マーキング済の長尺チューブは、種々の外径の電線の如き被着物に嵌合して確実に被着物に保持をすることができる。
【００１６】
また、本発明によるマーキング用長尺チューブは、真円を周方向に交互に内外に突出させた形態であり、またこれらの突条は、同じかほぼ同じ曲率半径を有するので、簡単な構造のダイスで容易に成形することができ、長尺チューブを安価に製造することができる。
【図面の簡単な説明】
【００１７】
【図１】本発明の１つの実施形態によるマーキング用長尺チューブの横断面図である。
【図２】図２（Ａ）は、図１の長尺チューブをマーキングして切り分けた状態の@斜視図、図２（Ｂ）は、図２（Ａ）の１つの切り分け部分（チューブ状識別マーカー）を電線に嵌着した状態の斜視図である。
【図３】図２（Ｂ）のチューブ状識別マーカーを異なる外径の電線に被着した状態の端面図である。
【図４】図２（Ｂ）のチューブ状識別マーカーを被着することができる外径の範囲を示す説明図である。
【図５】突条の数を異にする本発明の複数の形態による長尺チューブの横断面図である。
【発明を実施するための形態】
【００１８】
本発明の実施の形態を図面を参照して詳細に述べると、図１は、本発明の１つの実施の形態によるマーキング用長尺チューブ１０を示し、このマーキング用長尺チューブ１０は、ゴム、プラスチック等の弾性材料から形成された長尺チューブ本体１２から成っている。
【００１９】
この長尺チューブ本体１２は、全長に亘って等しい肉厚Tを有し、また、長尺チューブ本体１２の長手方向に延び、且つ周方向に交互に設けられて隣接している内外に突の孤状の突条１４、１６を備えている。
【００２０】
これらの内外の弧状の突条１４、１６は、同じ又はほぼ同じ曲率半径を有している。即ち、図１に示すように、内向きの弧状の突条１４は、その円弧の中心が１４ＲＣで示される位置にあって長さ１４Ｒの半径を有し、また外向きの弧状の突条１６は、その円弧の中心が１６ＲＣで示される位置にあって長さ１６Ｒの半径を有する。
【００２１】
このような横断面形状の長尺チューブ本体１２は、内向きの突条１４を外向きに押し広げると、外向きの突条１６と共に半径Ｒの真円となる。これは、同じ又はほぼ同じ曲率半径の内外の突条１４、１６が周方向に交互に等間隔に設けられていることによる。
【００２２】
次に、本発明のマーキング用長尺チューブ１０の使用状態を図１乃至図４の３つの内外の弧状の突条１４，１６を有する形態の長尺チューブ１０を例にして述べる。
【００２３】
このマーキング用長尺チューブ１０は、例えば、特許文献１の図１に示す如きマーキング手段とチューブ切断手段とを備えたマーキングチューブ処理装置を用いて、所定間隔毎に、マーキング（印字）を施した後、マーキングが施された部分を後続のチューブ部分から切り離して図２（Ａ）に示す如き短尺のチューブ状識別マーカーＭを形成し、図２（Ｂ）に示すように、この識別マーカーＭを被識別物１８の一例である電線１８Ｃの端部に、電線端子（図示せず）の取り付け前に被着する。
【００２４】
図３から解るように、この形態のマーキング用長尺チューブ１０においては、この長尺チューブ１０から形成される短尺のチューブ状識別マーカーＭは、内向きに突である３つの弧状の突条１４が被識別物１６の一例である電線１８Ｃに弾性的に締め付けるように接触して電線１８Ｃに保持される。チューブ状識別マーカーＭを電線１８Ｃに被着する場合には、識別マーカーＭの弾性に抗して電線１８Ｃを識別マーカーＭ内に強引に挿入することによって電線１８Ｃを内向きの弧状の突条１４によって電線１８Ｃを把持するように、識別マーカーＭを電線１８Ｃに被せる。
【００２５】
図３及び図４から解るように、本発明の長尺チューブ１０は、３つ弧状の突条１４に外接する円１４Ｃよりも大きく、長尺チューブ１０の本体１２の真円１２Ｃの内径よりも小さい種々の外径の電線１８Ｃに適用することができる。図３（Ａ）は、円１４Ｃよりも若干大きな外径の電線１８Ｃに識別マーカーＭを被着した場合を示し、図３（Ｂ）は、真円１２Ｃの内径よりも若干小さい外径の電線１８Ｃに識別マーカーＭを被着した場合を示す。図３（Ａ）と図３（Ｂ）とから解るように、本発明の長尺チューブ１０から得られる識別マーカーＭは、外径の小さな寸法の電線１８Ｃから外径の大きな寸法の電線１８Ｃまで広範囲の寸法の電線１８Ｃに適合することができる。
【００２６】
図５は、本発明の長尺チューブ１０の異なる形態を示し、図５（Ａ）は、図１乃至図４と同様の３つの内外の弧状の突条１４、１６を有する形態を示し、図５（Ｂ）は、４つの内外の弧状の突条１４、１６を有する形態を示し、図５（Ｃ）は、５つの内外の弧状の突条１４、１６を有する形態を示す。突条の数が少ないと、電線１８Ｃ（被識別物）の寸法適合範囲が広くなるが、保持力は、小さくなり、また突条の数が多いと、電線１８Ｃ（被識別物）の寸法適合範囲が狭くなるが、保持力が大きくなるので、内外の突条の数は、３つ乃至５つが好適である。
【００２７】
いずれの形態であっても、種々の外径の被識別物１８に適用することができる上に、弧状の突条１４、１６は、チューブ本体１２の長手方向に沿った直線状であるので、簡単な押出しダイスで長尺チューブを容易に成形することができる。
【産業上の利用可能性】
【００２８】
本発明によれば、高い保持力で被識別物に被着することができる上に、マーキングをむらなく施すことができ、１つの寸法の長尺チューブで広い範囲の寸法の被識別物に適応することができ、また、製造が容易であるので、高い産業上の利用性を有する。  
【符号の説明】
【００２９】
１０  マーキング用長尺チューブ
１２  長尺チューブ本体
１２Ｃ  真円
１４  内向きの弧状の突条
１６  外向きの弧状の突条
１４Ｒ、１６Ｒ  突条の円弧の中心
１４ＲＣ、１６ＲＣ  突条の円弧の曲率半径
１８  被識別物
１８Ｃ  電線
Ｔ  肉厚
Ｍ  識別マーカー
【図１】
2019067487.tif 000003
【図２】
2019067487.tif 000004
【図３】
2019067487.tif 000005
【図４】
2019067487.tif 000006
【図５】
2019067487.tif 000007